(57)【要約】      （修正有）【課題】コンベヤベルトと同様に機能し、構造的により簡易且つ効果的な裁断マットを提供する。【解決手段】プラスチック製モジュール式自己係合毛ブラシ２はランナ一式６ａ、６ｂ、６ｃを備え、ブラシ２の外周から突出する対向する案内／自己センタリング端の対を含み、ランナ６ａ、６ｂ、６ｃは隣接するブラシ２のランナ６ａ、６ｂ、６ｃの端が互いに重なり合うことによって共に整合できるように配置され、案内／自己センタリング端に自己係合するように隣接するブラシ２を連接式に取り付けるための連接取付手段７を含み、連接取付手段により一組の複数のブラシ２が裁断マットになる。裁断マットは無限コンベヤベルトを形成し、連接取付手段７は支持テーブルの複数の位置に収容された駆動要素と係合できる連接駆動シャフトを備える。【選択図】図２
2014001074.tif 000002
【特許請求の範囲】
【請求項１】
プラスチック製モジュール式自己係合毛ブラシ（２）であって、
可撓性を有する複数の毛（４）が垂直に出ている頂面と、支持テーブル（５）上で前記毛ブラシ（２）を駆動する駆動手段に結合する結合手段（６）を備える底面とを有する支持プレート（３）を含み、前記毛（４）の自由端が、搬送され裁断される部品を受けるための支持面を規定し、
各ブラシ（２）の前記結合手段が、前記支持プレート（３）の前記底面から垂直に出ているランナ一式（６）を備え、前記ランナ（６）は、前記ブラシ（２）の外周から突出する対向する案内／自己センタリング端の対を含み、前記ランナ（６）は、隣接するブラシ（２）のランナ（６）の前記端が互いに重なり合うことによって共に整合できるように配置され、前記ランナ（６）は、その案内／自己センタリング端に、自己係合するように隣接するブラシ（２）を連接式に取り付けるための連接取付手段を含み、前記連接取付手段により一組の複数のブラシ（２）が裁断マット（１）になり、前記裁断マット（１）は無限コンベヤベルトを形成し、前記連接取付手段は、前記支持テーブル（５）の複数の位置に収容された駆動要素（９）と係合できる連接駆動シャフト（８）を備えることを特徴とする毛ブラシ（２）。
【請求項２】
各ランナ（６）の前記案内／自己センタリング端の前記連接取付手段が、幅方向の貫通孔（７）を備え、隣接するブラシ（２）のランナ（６）の前記孔（７）が互いに重なり合うことができ、これにより、ブラシ（２）の列と列の間にある対応する連接駆動シャフト（８）を前記重なり合う孔（７）に差し込んで通すことができる、請求項１に記載の毛ブラシ（２）。
【請求項３】
前記ブラシ（２）の前記支持プレート（３）の形状が四角形すなわち矩形であり、前記ランナ（６）が、前記プレート（３）の対称軸に対して一方の側（３ａ）に配置されたランナ（６ａ）からなる第１のグループと反対側（３ｂ）に配置されたランナ（６ｂ）からなる第２のグループとによって規定される構成により前記支持プレート（３）に配置され、これにより、ブラシ（２）に属する前記第１のグループのうちの２つの前記ランナ（６ａ）の前記案内／自己センタリング端を、隣接するブラシ（２）の前記第２のグループのうちの２つの前記ランナ（６ｂ）の間に隣り合って配置することができる、請求項１に記載の毛ブラシ（２）。
【請求項４】
前記第２のグループのうちの前記ランナ（６ｂ）の間に配置された２つの補助ランナ区画（６ｃ）が含まれ、各補助区画（６ｃ）は、両端にあり、隣接するブラシ（２）の前記第１のグループのうちの前記ランナ（６ａ）の間に配置することができる、請求項３に記載の毛ブラシ（２）。
【請求項５】
前記ブラシ（２）が、平行型の組み立てによりグループ化することができ、これにより、隣接するブラシ（２）に属する同じ側（３ａ、３ｂ）の前記ランナ（６ａ、６ｂ）が互いに向かい合って組み立てられたときに平行なブラシ列を規定する、請求項３または４に記載の毛ブラシ（２）。
【請求項６】
前記ブラシ（２）が、介在型の組み立てによりグループ化することができ、これにより、隣接するブラシ（２）にそれぞれ属する反対側（３ａ、３ｂ）の前記ランナ（６ａ、６ｂ）が向かい合うときにオフセットされたブラシ列を規定する、請求項３または４に記載の毛ブラシ（２）。
【請求項７】
介在型の組み立てにおけるブラシ（２）の列の側方端に形成される間隙に充填された、より幅の狭いブラシ（２ａ、２ｂ）を備える、請求項６に記載の毛ブラシ（２）。
【請求項８】
ブラシ（２）の列と列との間にある前記連接駆動シャフト（８）が、前記支持テーブル（５）の前記駆動要素（９）の固定具と係合できるように、前記裁断マット（１）の前方への移動方向に対して垂直に向けられる、請求項１に記載の毛ブラシ（２）。
【請求項９】
前記支持テーブル（５）の少なくとも一方の端部に複数の駆動要素（９）が設けられる、請求項８に記載の毛ブラシ（２）。
【請求項１０】
前記ランナ（６）が、前記毛ブラシ（２）の前記支持プレート（３）へ、単一のプラスチック部品に一体化される、請求項１に記載の毛ブラシ（２）。
【請求項１１】
前記ランナ（６）が、前記支持テーブル（５）の上で摺動する２つの接触面（６’）を備えた外形を有する、請求項１に記載の毛ブラシ（２）。
【発明の詳細な説明】
【技術分野】
【０００１】
本発明は毛ブラシに関する。この毛ブラシは、全体としてはプラスチック製モジュール式自己係合毛ブラシであり、均質な裁断マット（cutting mat）、ひいては無限コンベヤベルトの形成を可能にする。
【背景技術】
【０００２】
今日、一連の機械要素に適切に固定されて可動無限コンベヤベルト状の面を形成するプラスチック製ブラシが知られている。このブラシは、裁断／移動を可能にする上記機械要素内で連結できる能力を有するという利点がある。
【０００３】
固定表面の構成を可能にする連結不能なプラスチック製ブラシがある。このブラシには連続的裁断／移動の利点はない。
【０００４】
こういったプラスチック製ブラシは、可撓性を有する複数の毛が垂直に出ている頂面と、支持体、好ましくは金属支持体に結合される結合手段を備える底面とを有する支持プレートからなる。
【０００５】
上記支持体は、伝達シャフトと一体になった案内／駆動チェーンに結合され、この結合は、そのチェーンによって、毛ブラシが連結された上記支持体が移動できるようになっている。上記チェーンは、支持テーブルの両端に収容された移動用のピニオンとギアのセットによって駆動され、このピニオンとギアのセットは少なくとも１つのモータによって動かされる。
【０００６】
これらの適切に取り付けられた構成部品全てによって毛ブラシの移動が可能になり、毛ブラシは、搬送され裁断される部品を受けるのに適した、毛の自由端によって規定される均質かつ平坦な可動裁断表面を形成する。
【０００７】
しかしながら、かかるプラスチック製ブラシは、構成部品の総重量の支承を可能にするシャーシと非常に堅牢な機械要素一式、特に金属支持体および側部チェーンの移動領域、ならびに上記重量を駆動できるモータおよびピニオンを必要とするという欠点を有する。
【発明の概要】
【発明が解決しようとする課題】
【０００８】
本発明のプラスチック製モジュール式自己係合毛ブラシの目的は、当技術分野で知られているブラシの欠点を解決して、無限コンベヤベルトと同様に機能することを可能にする、構造的により簡易且つ効果的な裁断マットを提供することである。
【課題を解決するための手段】
【０００９】
本発明の毛ブラシ体は、可撓性を有する複数の毛が垂直に出ている頂面と、支持テーブル上で上記毛ブラシを駆動する駆動手段に結合する結合手段を備える底面とを有する支持プレートを含み、搬送され裁断される部品を受けるための支持表面を毛の自由端が規定し、その特徴は、各ブラシの上記結合手段が、上記支持プレートの上記底面から垂直に出ているランナ一式を備え、上記ランナは、上記ブラシの外周から突出する対向する案内／自己センタリング端の対を含み、上記ランナは、隣接するブラシのランナの上記端が互いに重なり合うことによって共に整合できるように配置され、上記ランナは、その案内／自己センタリング端に、自己係合するように隣接するブラシを連接式に取り付けるための連接取付手段を含み、上記連接取付手段により一組の複数のブラシが裁断マットになり、上記裁断マットは無限コンベヤベルトを形成し、上記連接取付手段は、上記支持テーブルの複数の位置に収容された駆動要素と係合できる連接駆動シャフトを備えることである。
【００１０】
ランナの複数の機能、すなわち自己案内機能と、摺動ランナとしての機能と、連接駆動シャフトによる自己係合機能により、均質なコンベヤベルト状の支持表面の形成することが可能になる。これにより、今日の技術で使用されている、毛ブラシを固定するための金属底部支持体やその底部支持体の剛性支持体、一組の毛ブラシを移動させるためのチェーンなどの様々な機械要素を使用する必要性を無くすことが可能になる。
【００１１】
したがって、上記ランナは連結装置状の連接駆動シャフトと共に、ウォームギアの形状を成す幅方向の鎖状アンカーを形成するように配置される。このアンカーにより、すでに述べたように当技術分野で知られている補助的な案内／駆動チェーンだけでなく好ましくは金属製の支持体およびガイドの必要性がなくなり、それらと同じ利点が得られ、均一な摺動を実現する能力が高められる。
【００１２】
上述の不必要な機械要素を排除することにより、総重量と本発明の裁断マットの製造コストをかなり低減することも可能になる。
【００１３】
有利なことに、各ランナの上記案内／自己センタリング端の上記連接取付手段は、幅方向の貫通孔を備え、隣接するブラシのランナの上記孔が互いに重なり合うことができ、その重なりは、ブラシの列と列の間にある対応する連接駆動シャフトを上記重なり合う孔に差し込んで通すことができるようになっている。
【００１４】
したがってこれらの幅方向の孔は、連接駆動シャフト用のガイドを形成する。というのは、上記孔が介在型の形だが互いに非常に狭い間隔で配置され、それにより、特に慎重を要することなくシャフトをそこに簡単に通すことが可能になるからである。この通し操作は完全に自動化することができ、その後コストが低減される。
【００１５】
一方、駆動要素用のギア形状を形成するために、幅方向の孔はランナの両端に適切に配置されており、このことが上述の連接駆動シャフトに有利に作用する。この連接駆動シャフトの二重機能により、連接駆動シャフトは動作中に非常に優れた安定性と可撓性を有するようになる。保守作業時に、潤滑剤も付随する運転時管理も必要なく、交換が非常に容易である。
【００１６】
上記幅方向の孔を連接駆動シャフトと共に使用することによりまた、今日の技術で知られている裁断マットに伴って見られたいかなる底部金属ガイドも必要とすることなく、複数の毛ブラシによって形成された平坦な均一の面の形成が可能になる。この単純さにより、裁断され搬送される部品を吸着保持することを想定した支持テーブル下の真空チャンバの形成に必要なコスト、組み立て時間、重量および有効高さが大きく低減されることになる。
【００１７】
本発明の一実施形態によると、上記ブラシの上記支持プレートの形状は四角形すなわち矩形であり、上記ランナは、上記プレートの対称軸に対して一方の側に配置されたランナからなる第１のグループと反対側に配置されたランナからなる第２のグループとによって規定される構成に従って上記支持プレートに配置され、その構成は、ブラシに属する第１のグループのうちの２つのランナの案内／自己センタリング端を、隣接するブラシの第２のグループのうちの２つのランナの間に隣り合って配置できるようになっている。
【００１８】
上記第２のグループのランナの間に配置された２つの補助ランナ区画が含まれると好ましく、各補助区画は両端にあり、隣接するブラシの第１のグループのランナの間に配置することができる。
【００１９】
有利なことに、上記ブラシは、平行型の組み立てに従ってグループ化することができ、この組み立ては、隣接するブラシに属する同じ側のランナが互いに向かい合って組み立てられたときに、平行なブラシ列を規定する。
【００２０】
あるいは、上記ブラシは、介在型の組み立てに従ってグループ化することができ、この組み立ては、隣接するブラシにそれぞれ属する反対側のランナが互いに向かい合うと、オフセットされたブラシ列を規定する。
【００２１】
上記介在型の組み立てにより、いかなる補助的機械要素も必要とすることなく、互いに対する毛ブラシの自己センタリングが可能になる。さらに、平行型の組み立てにとって特徴的である隣接するブラシ同士の間の取付隙間がなくなり、それによって応力が規則的に分散されるので、裁断マット全体にわたって規則的な裁断面および均質な動きが実現する。
【００２２】
一方、介在型の組み立て体における毛ブラシの自己固定により、均質な本体を形成する裁断マットの全表面をより短時間で組み立てることが可能になる。この利点は、組み立て段階だけでなく、輸送、保守、設置、ならびに裁断マットの全面を取り扱わなければならないどの操作においても得られる。
【００２３】
さらに、裁断マットは、介在型の組み立てにおけるブラシの列の側方端に形成される間隙に充填することを想定した、より幅の狭いブラシを備える。
【００２４】
したがって、上記のより幅の狭いブラシの結果、裁断マットの両側部に直線状の均質な側部を得ることが可能になり、それによって、一組のブラシの移動中に上記裁断マットが何かに引っ掛かることを防止する。
【００２５】
有利なことに、ブラシの列と列の間にある上記連接駆動シャフトは、上記支持テーブルの上記駆動要素の固定具と係合できるように、上記裁断マットの前方への移動方向に対して垂直に向けられる。
【００２６】
したがって、大型ピニオン用の底部ガイドやチェーン、支持体、シャフトなどの今日の技術の裁断マットで使用されている不必要な要素の重量を支承する必要がないので、支持テーブルをはるかに軽量かつ簡易にすることができる。
【００２７】
上記支持テーブルの少なくとも一方の端部に複数の駆動要素が想定されると好ましい。
【００２８】
本発明の適切に組み立てられたブラシ体により、無限コンベヤベルトを形成する裁断マットの構成が可能になり、これにより複数の駆動要素を上記無限ベルトの幅方向の軸に沿って配置できることが有利である。この駆動要素の構成により、その駆動要素を支持テーブルの全幅に沿って実装できるので最適化された設計が可能になる。この構成は、裁断マットの駆動に必要な力を均質に分散するので機能上の利点を有し、この利点により、同一の全荷重に対してはるかに小さなサイズが応力の均質な分散の結果、可能になる。
【００２９】
また、製造コストもかなり低減される。というのは、コンベヤベルト状の一組の毛ブラシの回転に必要な直径が非常に小さいならば、大きな駆動シャフトが必要なく、主として毛ブラシが介在型の形で組み立てられる場合、駆動チェーンや底部固定ガイドなどの要素は不要になり、自己案内／自己センタリング機能を有する自己係合ランナに置き換えられるからである。
【００３０】
一方、この自己係合ランナにより、今日の技術で使用される支持体、シャフト、チェーンおよびガイドの不要な重量を動かす必要がないので、それほど力がないモータおよび減速ギアの使用が可能になる。こういった要素は組立体全体の中で最も重く、したがって毛ブラシ、駆動要素および連接駆動シャフトの実重量にまで重量が低減される。
【００３１】
有利なことに、上記ランナは、単一のプラスチック部品における上記毛ブラシの上記支持プレートに一体化される。
【００３２】
また有利なことに、上記ランナは、上記支持テーブルの上で摺動することを想定した２つの接触表面を有する外形を含む。
【００３３】
ランナの上記接触領域により、支持テーブル上の低摩擦摺動が可能になる。
【００３４】
各図面は、前述の説明を補助するために添付している。本発明のプラスチック製モジュール式自己係合毛ブラシ体の実用的な実施形態を略図で示すが、それは単なる非限定的な例に過ぎない。
【図面の簡単な説明】
【００３５】
【図１】本発明による毛ブラシの斜視図である。
【図２】ランナを示す毛ブラシの斜視図である。
【図３】支持テーブルの上を毛ブラシが摺動するための接触表面を示す、図２による毛ブラシの斜視図である。
【図４】側方の自己固定を可能にするランナによって互いに連結された一組の毛ブラシの斜視図である。
【図５】ランナの幅方向の孔に通す前の連接駆動シャフトを示す、図４による連結された一組の毛ブラシの斜視図である。
【図６】平行型の組み立てに従って連結された一組の毛ブラシの斜視図である。
【図７】図６による一組の毛ブラシの平面図である。
【図８】介在型の組み立てに従って連結された一組の毛ブラシの斜視図である。
【図９】図８による一組の毛ブラシの平面図である。
【図１０】係合している一組の毛ブラシを部分的に示す駆動可能要素の斜視図である。
【図１１】介在型の組み立てが使用された場合に、裁断マットの左側の側方端に形成される間隙に充填することを想定した、より幅の狭い補助ブラシの斜視図である。
【図１２】介在型の組み立てが使用された場合に、裁断マットの右側の側方端に形成される間隙に充填することを想定した、より幅の狭い補助ブラシの斜視図である。
【図１３】上記のより幅の狭い補助ブラシを示す、介在型の組み立てによる裁断マットの部分斜視図である。
【図１４】支持テーブル上を移動中の裁断マットの斜視図である。
【発明を実施するための形態】
【００３６】
図１、２および１４から分かるように、裁断マット１が、本発明に従って互いに隣り合って連結された複数の毛ブラシ２を備え、各ブラシ２は、可撓性を有する複数の毛４が垂直に出ている頂面と、支持テーブル５上で上記毛ブラシ２を駆動する駆動手段に結合する結合手段を備える底面とを有する支持プレート３を含み、搬送され裁断される部品を受けるための支持表面を毛４の自由端が規定する。
【００３７】
各ブラシ２の上記結合手段は、上記支持プレート３の上記底面から垂直に出ているランナ一式６を備え、上記ランナ６は、上記ブラシ２の外周から突出する対向する案内／自己センタリング端の対を含み、上記ランナ６は、隣接するブラシ２のランナ６の上記端が互いに重なり合うことによって整合できるように配置される。
【００３８】
上記ランナ６はまた、その案内／自己センタリング端に、自己係合するように隣接するブラシ２を連接式に取り付けるための連接取付手段を含み、この連接取付手段により裁断マット１が無限コンベヤベルトになる。この場合、上記連接取付手段は幅方向の貫通孔７を備える。
【００３９】
ランナ６は、単一プラスチック部品の毛ブラシ２の支持プレート３に一体化されると好ましい。
【００４０】
そして、上記連接取付手段は連接駆動シャフト８を備え、連接駆動シャフト８は、後述するように（図５および１０を参照）、上記支持テーブルの端部に収容された上記駆動手段の駆動要素９と係合することができる。
【００４１】
ブラシ２の列と列の間にある上記連接駆動シャフト８は、上記支持テーブル５の上記駆動要素９の固定具と係合できるように、上記裁断マット１の前方への移動方向（図１４に矢印によって示されている）に対して垂直に向けられる。
【００４２】
図３から分かるように、ランナ６は、支持テーブル５上で摺動することを想定した２つの接触表面６’を備える外形を含み、この外形により低摩擦の摺動が可能になる。
【００４３】
図４および５から分かるように、隣接するブラシ２のランナ６の孔７が互いに重なり合うことができ、その重なりは、ブラシ２の列と列の間にある対応する連接駆動シャフト８を上記重なり合う孔７に差し込んで通すことができるようになっている。
【００４４】
本発明の可能な実施形態によると、上記ブラシ２の上記支持プレート３の形状は四角形すなわち矩形であり、上記ランナ６は、上記プレート３の対称軸に対して一方の側３ａに配置されたランナ６ａからなる第１のグループと反対側３ｂに配置されたランナ６ｂからなる第２のグループとによって規定される構成に従って上記支持プレート３に配置され、その構成は、ブラシ２に属する第１のグループのうちの２つのランナ６ａの案内／自己センタリング端を、隣接するブラシ２の第２のグループのうちの２つのランナ６ｂの間に隣り合って配置できるようになっている。
【００４５】
上記第２のグループのうちの２つのランナ６ｂの間に配置された２つの補助ランナ区画６ｃもまた含まれ、各補助区画６ｃは両端にあり、隣接するブラシ２の第１のグループのうちの２つのランナ６ａの間に配置することができる。
【００４６】
上記ブラシ２は、平行型の組み立てに従ってグループ化することができ（図６および７を参照）、この組み立ては、隣接するブラシ２に属する同じ側３ａまたは３ｂのランナ６ａ、６ｂが向かい合って組み立てられたときに、平行なブラシ列を規定する。
【００４７】
あるいは、上記ブラシは、介在型の組み立てに従ってグループ化することができ（図８および９を参照）、この組み立ては、隣接するブラシ２にそれぞれ属する反対側３ａと３ｂのランナ６ａ、６ｂが互いに向かい合うと、オフセットされたブラシ列を規定する。
【００４８】
さらに、図１１および１２から分かるように、裁断マット１は、介在型の組み立てにおけるブラシ２の列の側方端に形成される間隙に充填することを想定した、より幅の狭いブラシ２ａ、２ｂを備える（図１３を参照）。
【００４９】
本発明の特定の実施形態について言及したが、添付の特許請求の範囲で規定される保護範囲から逸脱することなしに、説明したプラスチック製モジュール式自己係合毛ブラシに複数の変形および変更を加えることができ、言及した全ての細部を他の技術的に均等なものと置き換えできることは当業者には明らかである。
【図１】
2014001074.tif 000003
【図２】
2014001074.tif 000004
【図３】
2014001074.tif 000005
【図４】
2014001074.tif 000006
【図５】
2014001074.tif 000007
【図６】
2014001074.tif 000008
【図７】
2014001074.tif 000009
【図８】
2014001074.tif 000010
【図９】
2014001074.tif 000011
【図１０】
2014001074.tif 000012
【図１１】
2014001074.tif 000013
【図１２】
2014001074.tif 000014
【図１３】
2014001074.tif 000015
【図１４】
2014001074.tif 000016
【外国語明細書】
2014001074.tif 000017
2014001074.tif 000018
2014001074.tif 000019
2014001074.tif 000020
2014001074.tif 000021
2014001074.tif 000022
2014001074.tif 000023
2014001074.tif 000024
2014001074.tif 000025
2014001074.tif 000026
2014001074.tif 000027
【図１】
2014001074.tif 000028
【図２】
2014001074.tif 000029
【図３】
2014001074.tif 000030
【図４】
2014001074.tif 000031
【図５】
2014001074.tif 000032
【図６】
2014001074.tif 000033
【図７】
2014001074.tif 000034
【図８】
2014001074.tif 000035
【図９】
2014001074.tif 000036
【図１０】
2014001074.tif 000037
【図１１】
2014001074.tif 000038
【図１２】
2014001074.tif 000039
【図１３】
2014001074.tif 000040
【図１４】
2014001074.tif 000041